(57)【要約】【課題】  不在着信表示機能を有するコードレス電話システムにおいて、不在着信表示の状態が電話装置間で異なるといった不適切な状態の発生を防止し、これにより不在着信表示の信頼性の向上を図ったコードレス電話システムを提供すること。【解決手段】  外線着信（Ｓ１００）の終了後（Ｓ１０５）、当該外線着信が不在着信であったか否かを親機（１０）で判別するとともに、不在着信であると判定されたときには（Ｓ１１０）、各子機（２０ａ、２０ｂ）に不在着信表示開始信号（Ｓ１１０ａ、Ｓ１１０ｂ）を送信する。各子機（２０ａ、２０ｂ）は不在着信表示開始信号を受信することによりそれぞれ不在着信表示を開始（Ｓ２０７ａ、Ｓ２０７ｂ）すると共に、親機にＡＣＫ（Ｓ２０６ａ、２０６ｂ）を送信する。親機は両子機からのＡＣＫを受信することにより不在着信表示を開始（Ｓ１１１）する。これにより不在着信表示の開始タイミングを全電話装置で統一する。【選択図】  図４
2010109558.tif 000002
【特許請求の範囲】
【請求項１】
電話回線に接続された親機と、当該親機と無線通信機能を介して接続される１又は複数台の子機とを有し、いずれかの子機に不在着信表示機能が装備されたコードレス電話システムであって、
前記親機には、親機又は子機における着信が、不在着信か通話着信かを判別する着信判別手段と、
不在着信と判別されたときには、不在着信表示機能を有する子機に送信すべき不在着信表示開始信号を生成する開始信号生成手段と、が設けられ、
不在着信表示機能を有する子機には、
受信された不在着信表示開始信号に基づいて不在着信表示を開始する着信表示制御手段が設けられている、ことを特徴とするコードレス電話システム。
【請求項２】
前記親機が不在着信表示機能を有し、当該親機には、不在着信と判別されたときには不在着信表示を開始する着信表示制御手段が更に設けられている、ことを特徴とする請求項１に記載のコードレス電話システム。
【請求項３】
前記親機の着信表示制御手段は、不在着信表示開始信号の受信に伴う子機からのＡＣＫを受信したときに不在着信表示を開始する、ことを特徴とする請求項２に記載のコードレス電話システム。
【請求項４】
電話回線に接続された親機と、当該親機と無線通信機能を介して接続される１又は複数台の子機とを有し、いずれかの子機に不在着信表示機能が装備されたコードレス電話システムであって、
前記親機には、
親機又は子機における着信が、不在着信か通話着信かを判別する着信判別手段と、
不在着信と判別されたときには、不在着信表示機能を有する子機に送信すべき不在着信表示開始信号を生成する開始信号生成手段と、
子機からの要求を受けて、不在着信表示機能を有する子機に送信すべき不在着信表示終了信号を生成する終了信号生成手段と、が設けられ、
不在着信表示機能を有する子機には、
受信された不在着信表示開始信号に基づいて不在着信表示を開始すると共に、不在着信表示終了信号に基づいて不在着信表示を終了する着信表示制御手段と、
前記親機に対して、不在着信表示終了信号の生成を要求するための要求信号生成手段と、が設けられている、ことを特徴とするコードレス電話システム。
【請求項５】
前記終了信号生成手段は、更に、親機おける所定操作に基づいて、不在着信表示機能を有する子機に送信すべき不在着信表示終了信号を生成することを特徴とする請求項４に記載のコードレス電話システム。
【請求項６】
前記親機が不在着信表示機能を有し、当該親機には、不在着信と判別されたときには不在着信表示を開始すると共に、子機からの不在着信表示終了要求信号を受けることにより不在着信表示を終了する着信表示制御手段が更に設けられている、ことを特徴とする請求項４に記載のコードレス電話システム。
【請求項７】
前記親機の着信表示制御手段は、前記不在着信表示開始信号の受信に伴う子機からのＡＣＫを受信したときに不在着信表示を開始する、ことを特徴とする請求項６に記載のコードレス電話システム。
【請求項８】
前記親機の着信表示制御手段は、前記不在着信表示終了信号の受信に伴う子機からのＡＣＫを受信したときに不在着信表示の終了する、ことを特徴とする請求項６または請求項７に記載のコードレス電話システム。
【請求項９】
前記親機は、留守番電話機能を有し、
前記着信判別手段は、当該留守番電話機能による自動着信応答が行われたときには不在着信と判別する、ことを特徴とする請求項１乃至請求項８のいずれかに記載のコードレス電話システム。
【発明の詳細な説明】
【技術分野】
【０００１】
本発明は、通話状態へ移行することなく外線着信が終了した場合には、ディスプレイ等の表示装置に外線着信があった旨を表示する不在着信表示機能を有するコードレス電話システムに関し、特に、不在着信表示を開始するタイミングを電話回線に接続された親機で管理するようにしたコードレス電話システムに関する。
【背景技術】
【０００２】
従来からオフィスや家庭においては、公衆電話回線網に接続される加入電話のような固定電話装置を親機として、この親機と無線通信機能により結ばれる１台又は複数台の子機からなるコードレス電話システムが普及している。近年では親機にファクシミリ機能やインターネット閲覧機能を備えたコードレス電話システムも普及している。
【０００３】
これらコードレス電話システムを構成する個々の電話装置には、一般に、不在着信表示機能なるものが具備されている。この不在着信表示機能は、通話着信応答されなかった（通話状態に移行されなかった）外線着信、例えば、留守番電話による自動着信応答のみで終了した場合や、一切の通話着信応答がないまま着信が終了した場合に、その旨（不在着信があった旨）をユーザに通知するためのものであり、ディスプレイ装置への文字表示や、専用ランプの点灯等により実現される。
【０００４】
不在着信表示機能にかかる公知技術としては、例えば下記特許文献に示されるものが存在する。携帯電話の例であるが、不在着信があった場合にはその旨を表示するとともに、ユーザがこれに気づかずに所定時間を経過したような場合には、スピーカ、バイブレータ、発光ダイオード等を介して不在着信があった旨をより確実に通知可能としたものである（特許文献１）。また、昨今では、不在着信を複数件累積し、或いはこれに通常着信（通話応答のなされた着信）をも更に累積して、これらを着信履歴としてディスプレイパネル上に時系列で表示できるようにしたものも広く普及している。
【０００５】
ところで、従来のこの種のコードレス電話システムにあっては、利用に際しての利便性を考慮して例えば電話帳機能等の諸機能は独立したものとして各電話装置に装備されるのが一般的である。このため、この不在着信表示機能も、電話装置毎に独立した機能として装備されているという現状がある。
【０００６】
一方、電話回線からの着信があって、親機から各子機へと呼び出し信号（外線着信信号）が送信されて一斉に外線着信状態となった場合、これに応答して通話着信（通話状態に移行）できるのは１の電話装置に限られる。先に述べたように、不在着信表示機能は電話装置毎に独立したものとして装備されているから、このような場合、通話着信された電話装置においては、通話終了後の不在着信表示は行われないが、その他の不在着信表示機能を有する電話装置においては、呼び出しはあったが通話着信がなされていない状態となっているのであるから、不在着信表示が開始されることとなる。
【０００７】
このような不在着信表示にかかる不具合は、不在着信表示機能を有する子機が１台しかないシステムにおいても発生する。すなわち、当該機能を有さない電話装置（親機又は他の子機）で通話着信された場合、本来的には不在着信ではないにも拘わらず、不在着信表示機能を有する子機においては応答がなされていない結果、不在着信表示が開始されることとなる。
【特許文献１】特開２００２−１７６６７２号公報（段落「０００４」〜「０００８」）
【発明の開示】
【発明が解決しようとする課題】
【０００８】
不在着信表示機能の本来の目的は、ユーザが通話するに至らなかった着信をユーザに報知するものであるから、上述のような不適切な不在着信表示が行われることにより、以下の問題が生じることが知見された。
（１）本来通話が行われた着信であるにも拘わらず、ユーザは不在着信と勘違いして、相手先の特定に無駄な時間を費やしてしまうケースがある。
（２）ナンバーディスプレイ機能を有する電話装置であれば、すでに通話した相手に再び無用な電話をかけてしまうケースがある。
（３）不在着信表示がされている着信が、１の電話装置ですでに通話着信したものとユーザが認知しているときでも、上記（１）、（２）の問題を避けるためには他の電話装置の不在着信表示を個別に消去しておかなければならない。
【０００９】
本願の発明者は上記の問題点を解消すべく種々検討を重ねた結果、コードレス電話システムにおける不在着信表示を開始するタイミングを、電話回線に接続された親機で管理することにより、上記の問題を解消し得ることに想到して本発明を完成するに至ったものである。
【００１０】
すなわち、本発明は、不在着信表示機能を有するコードレス電話システムに関し、不在着信表示を開始するタイミングを電話回線に接続された親機で管理することにより、上述のような不適切な不在着信表示を排除し、これにより不在着信表示の信頼性の向上を図ることを目的とするものである。
【課題を解決するための手段】
【００１１】
前記課題を解決するために、本願の請求項１にかかる発明は、電話回線に接続された親機と、当該親機と無線通信機能を介して接続される１又は複数台の子機とを有し、いずれかの子機に不在着信表示機能が装備されたコードレス電話システムにおいて、前記親機には、前記親機又は子機における着信が、不在着信か通話着信かを判別する着信判別手段と、  不在着信と判別されたときには、不在着信表示機能を有する子機に送信すべき不在着信表示開始信号を生成する開始信号生成手段と、が設けられ、不在着信表示機能を有する子機には、受信された不在着信表示開始信号に基づいて不在着信表示を開始する着信表示制御手段が設けられていることを特徴とするコードレス電話システムである。
【００１２】
また、本願の請求項２にかかる発明は、請求項１にかかるコードレス電話システムにおいて、前記親機が不在着信表示機能を有し、当該親機には、不在着信と判別されたときには不在着信表示を開始する着信表示制御手段が更に設けられていることを特徴とする。
【００１３】
また、本願の請求項３にかかる発明は、請求項２にかかるコードレス電話システムにおいて、前記親機の着信表示制御手段は、不在着信表示開始信号の受信に伴う子機からのＡＣＫを受信したときに不在着信表示を開始することを特徴とする。
【００１４】
また、本願の請求項４にかかる発明は、電話回線に接続された親機と、当該親機と無線通信機能を介して接続される１又は複数台の子機とを有し、いずれかの子機に不在着信表示機能が装備されたコードレス電話システムにおいて、前記親機には、親機又は子機における着信が、不在着信か通話着信かを判別する着信判別手段と、不在着信と判別されたときには、不在着信表示機能を有する子機に送信すべき不在着信表示開始信号を生成する開始信号生成手段と、子機からの要求を受けて、不在着信表示機能を有する子機に送信すべき不在着信表示終了信号を生成する終了信号生成手段と、が設けられ、不在着信表示機能を有する子機には、受信された不在着信表示開始信号に基づいて不在着信表示を開始すると共に、不在着信表示終了信号に基づいて不在着信表示を終了する着信表示制御手段と、  前記親機に対して、不在着信表示終了信号の生成を要求するための要求信号生成手段と、設けられていることを特徴とするコードレス電話システムである。
【００１５】
また、本願の請求項５にかかる発明は、請求項４にかかるコードレス電話システムにおいて、前記終了信号生成手段は、更に、親機おける所定操作に基づいて、不在着信表示機能を有する子機に送信すべき不在着信表示終了信号を生成することを特徴とする。
【００１６】
また、本願の請求項６にかかる発明は、請求項４にかかるコードレス電話システムにおいて、前記親機が不在着信表示機能を有し、当該親機には、不在着信と判別されたときには不在着信表示を開始すると共に、子機からの不在着信表示終了要求信号を受けることにより不在着信表示を終了する着信表示制御手段が更に設けられていることを特徴とする。
【００１７】
また、本願の請求項７にかかる発明は、請求項６にかかるコードレス電話システムにおいて、前記親機の着信表示制御手段は、前記不在着信表示開始信号の受信に伴う子機からのＡＣＫを受信したときに不在着信表示を開始することを特徴とする。
【００１８】
また、本願の請求項８にかかる発明は、請求項６または請求項７に記載のコードレス電話システムにおいて、前記親機の着信表示制御手段は、前記不在着信表示終了信号の受信に伴う子機からのＡＣＫを受信したときに不在着信表示の終了することを特徴とする。
【００１９】
また、本願の請求項９にかかる発明は、請求項１乃至請求項８のいずれかに記載のコードレス電話システムにおいて、前記親機は、留守番電話機能を有し、前記着信判別手段は、当該留守番電話機能による自動着信応答が行われたときには不在着信と判別することを特徴とする。
【発明の効果】
【００２０】
請求項１にかかる発明においては、親機の着信判別手段により外線着信が不在着信か通話着信かが判別され、不在着信と判別されたときには開始信号生成手段により当該親機から子機へと不在着信表示開始信号が送信される一方、これを受けた子機では、着信表示制御手段により不在着信表示が開始される。
【００２１】
このように請求項１にかかる発明においては、不在着信表示の開始タイミングが親機において管理されるから、不在着信があったときには、不在着信表示機能を有するすべての電話装置において同時に不在着信表示が開始されることとなる。したがって、いずれかの電話装置で通話着信が行われたにも拘わらず他の電話装置では不在着信表示が行われるといった不適切な不在着信表示が排除され、これにより不在着信表示の信頼性の向上が計られる。
【００２２】
尚、本発明の要旨は、コードレス電話システムにおける不在着信表示を開始するタイミングを電話回線に接続された親機で管理する点にあるから、子機１台のみが不在着信表示機能を有するコードレス電話システムにも適用することができる。すなわち、当該機能を有さない他の電話装置で通話着信が行われた場合には当該機能を有する子機においても不在着信表示が行われないことになるから、同様に、不適切な不在着信表示が排除され、これにより不在着信表示の信頼性向上が図られるといった効果を得ることができる。
【００２３】
請求項２にかかる発明においては、請求項１にかかるコードレス電話システムにおいて、子機に不在着信表示開始信号が送信されるのに同期して親機での不在着信表示が開始される。したがって、子機のみならず、親機が不在着信表示機能を有する場合にも、上記の効果を得ることができる。
【００２４】
請求項３にかかる発明においては、請求項２にかかるコードレス電話システムにおいて、親機の不在着信表示は不在着信表示開始信号の受信に伴う子機からのＡＣＫを受信したときに開始されるから、例えば、不在着信表示開始信号の子機での受信がノイズにより阻害されて不在着信表示がなされないにも拘わらず、親機では不在着信表示が行われるといった事態を回避することが可能となる。
【００２５】
請求項４にかかる発明においては、親機の着信判別手段により外線着信が不在着信か通話着信かが判別され、不在着信と判別されたときには開始信号生成手段により当該親機から子機へと不在着信表示開始信号が送信され、一方、これを受けた子機では、着信表示制御手段により不在着信表示が開始される。加えて、子機の要求信号生成手段によって送信される不在着信表示終了要求信号が親機で受信されることにより、親機の終了信号生成手段により当該親機から子機へと不在着信表示終了信号が送信され、子機は当該不在着信表示終了信号を受けることにより不在着信表示を終了するように構成されている。
【００２６】
このように請求項４にかかる発明においては、不在着信表示の開始タイミングおよび終了タイミングが親機において管理されるから、不在着信表示機能を有するすべての電話装置において、不在着信表示の開始および終了がそれぞれ同時になされることとなる。したがって、いずれかの電話装置で通話着信が行われたにも拘わらず他の電話装置では不在着信表示が行われるといった不適切な不在着信表示や、ある電話装置では不在着信表示が消去されたが他の電話装置では未だ消去がなされていないことにより電話装置毎に表示状態が区々になるといった不適切な不在着信表示が排除されるから、不在着信表示の信頼性の向上がより一層計られる。
【００２７】
請求項５にかかる発明においては、請求項４にかかるコードレス電話システムにおいて、親機での所定操作によっても、不在着信表示機能を有する子機に送信すべき不在着信表示終了信号が生成される。したがって、例えば子機が手元に無いような場合でも、親機への操作によって不在着信表示機能を有するすべての電話装置において不在着信表示を終了させることができる。
【００２８】
請求項６にかかる発明においては、請求項４にかかるコードレス電話システムにおいて、子機に不在着信表示開始信号が送信されるのに同期して親機での不在着信表示が開始されると共に、子機に不在着信表示終了信号が送信されるのに同期して親機での不在着信表示が終了される。したがって、子機のみならず、親機が不在着信表示機能を有する場合にも、同様の効果を得ることができる。
【００２９】
請求項７にかかる発明おいては、請求項６にかかるコードレス電話システムにおいて、親機の不在着信表示は不在着信表示終了信号の受信に伴う子機からのＡＣＫを受信したときに開始されるから、例えば、不在着信表示開始信号の子機での受信がノイズにより阻害されて不在着信表示がなされないにも拘わらず、親機では不在着信表示が行われるといった事態を回避することが可能となる。
請求項８にかかる発明においては、請求項６または請求項７にかかるコードレス電話システムにおいて、親機の不在着信表示は不在着信表示終了信号の受信に伴う子機からのＡＣＫを受信したときに終了されるから、例えば、不在着信表示終了信号の子機での受信がノイズにより阻害されて不在着信表示がなされたままであるにも拘わらず、親機では不在着信表示が終了されるといった事態を回避することが可能となる。
【００３０】
請求項９にかかる発明おいては、請求項１乃至請求項８のいずれかにかかるコードレス電話システムにおいて、親機が留守番電話機能を有する場合には、自動着信応答が行われたときには不在着信と判別して、これに基づく上記不在着信表示を行うことができる。
【発明を実施するための最良の形態】
【００３１】
以下、本発明の具体例を実施例及び図面を用いて詳細に説明する。但し、以下に示す実施例は、本発明の技術的思想を具体化するためのコードレス電話システムを例示するものであって、本発明をこのコードレス電話システムに特定することを意図するものではなく、本発明の技術的範囲は、特許請求の範囲の記載によってのみ定められるものである。
【実施例】
【００３２】
図１は、本発明の実施例にかかるコードレス電話システム１の全体構成を示す図である。本実施例のコードレス電話システム１は、電話回線に接続された親機１０と、無線通信機能を介してこの親機１０と接続される２台の子機２０ａ，２０ｂとの計３台の電話装置を有してなる。更に、子機２０ａと２０ｂとは、親機１０を介在して無線接続される。尚、このコードレス電話システム１の通信方式は、アナログ、デジタルのいずれであってもよい。
【００３３】
次に、本発明の実施例にかかるコードレス電話システム１の回路構成を説明する。図２は、本発明の実施例にかかる親機１０の構成を示すブロック図である。親機１０は、制御部１０１、着信検出部１０２、回線接続部１０３、表示部１０４、操作部１０５、メモリ部１０６、ＡＣアダプタ１０７、電源部１０８、送信部１０９、受信部１１０、周波数シンセサイザー１１１、送受信アンテナ１１２、受話器１１３などを備えて構成されている。
【００３４】
制御部１０１は、マイクロプロセッサを中心に構成され、一般的なコンピュータ装置と同様にＲＯＭ、ＲＡＭなどの内蔵メモリを備えており、ＲＯＭに格納されている各種制御プログラムを読み出してＲＡＭに展開し、制御プログラムに従った親機１０の各種制御処理を担う。ＲＯＭに格納されている制御プログラムには、本発明にかかる不在着信表示機能の実現を担う『着信表示制御手段』１００ａ、『着信判別手段』１００ｂ、『開始信号生成手段』１００ｃ、『終了信号生成手段』１００ｄ、『留守応答手段』１００ｅをそれぞれ実現するための不在着信表示用制御プログラムが含まれる。尚、当該プログラムで実現されるシステム動作については後に図４乃至図７のシーケンス図を用いて詳細に説明する。
【００３５】
回線接続部１０３は、電話回線と接続され、当該電話回線からの着信（以降、外線着信という）があったときに回線の解放・閉結を行う。また親機に入力された電話番号情報に基づいて、或いは子機からの発信の際に当該子機から送出される電話番号情報に基づいて電話回線を通じた発呼処理を行う。
【００３６】
着信検出部１０２は、回路接続部１０３からの信号を受けて外線着信を検出すると共に、当該信号をパルス信号に波形整形して制御部１０１に出力する。
【００３７】
表示部１０４は、液晶ディスプレイパネルで構成される表示ユニットであり、制御部１０１からの制御信号に応じて、入力された電話番号、通話時間等のテキストデータ、画像データの適宜の表示を行う。また、本実施例では、外線着信が不在着信であると判別されたときには、不在着信表示として『着信がありました』の文字と当該着信の日付及び時刻を示す文字がこの表示部１０４に表示される。尚、不在着信表示は、別途設けられる専用ランプの点・消灯により、不在着信の有無のみを簡易表示するように構成することもできる。また、この日付と時刻情報は、着信履歴情報としてメモリ部１０６に順次累積記憶され、所謂『着信履歴表示機能』においても使用され、この着信履歴もこの表示部１０４に適宜表示可能に構成されている。尚、着信履歴表示機能は、この種の電話装置においては周知の技術であるから詳細説明は省略する。
【００３８】
操作部１０５は、数字や文字の入力などを行うテンキー、発呼および通話の開始などを操作する通話キー、通話の終了などを操作する終話キー、上述の着信履歴表示を適宜行うための着信履歴表示実行キー、その他の各種モードを設定するための操作を行うモード設定キー等から構成される。
【００３９】
メモリ部１０６は、ＲＡＭによって構成され、不在着信に関する日付・時刻情報の他、上述した着信履歴表示機能用のデータ（不在着信のみならず全ての着信に関する日付・時刻情報）や電話帳データや、その他機能を実行するのに利用されるユーザ入力データが記憶されている。
【００４０】
電源部１０８は、ＡＣアダプタ１０７から所定の直流電圧を受けて、各回路構成要素に電源を供給する。
【００４１】
送信部１０９と受信部１１０は、送受信アンテナ１１２を介して子機２０との間に無線通信による通話リンクを確立させて、信号の送受信を行う。また、周波数シンセサイザー１１１は、当該子機との無線通信のための信号発振を担い、制御部１０１からの制御信号によって、送信部１０９と受信部１１０の送受信周波数を適宜切り換える。
【００４２】
受話器１１３は、通話用のスピーカ（ＳＰ）１１３ａとマイク（ＭＩＣ）１１３ｂとで構成される。スピーカ（ＳＰ）１１３ａは、図示しない制御部１０１内の音声信号処理部で生成された電気信号を増幅して音声として出力する。マイク（ＭＩＣ）１１３ｂは、音声を電気信号に増幅変換して制御部１０１内の音声信号処理部に出力する。
【００４３】
次に、図３を参照しつつ、本発明の実施例にかかる子機２０の構成を説明する。尚、本実施例における子機２０ａと２０ｂ（図１）に構成上の相違はなく、回路構成も同様のものが採用されている。
【００４４】
コードレス電話装置の子機２０は、制御部２０１、表示部２０２、操作部２０３、メモリ部２０４、電源部２０５、充電部２０６、ＡＣアダプタ２０７、送信部２０８、受信部２０９、周波数シンセサイザー２１０、送受信アンテナ２１１、レシーバ２１２などを備えて構成されている。
【００４５】
制御部２０１は、マイクロプロセッサを中心に構成され、一般的なコンピュータ装置と同様にＲＯＭ、ＲＡＭなどの内蔵メモリを備えており、ＲＯＭに格納されている各種制御プログラムを読み出してＲＡＭに展開し、制御プログラムに従った子機２０の各種制御処理を担う。ＲＯＭに格納されている制御プログラムには、本発明にかかる不在着信表示機能の実現を担う『着信表示制御手段』２００ａ、『要求信号生成手段』２００ｂを実現するための不在着信表示用制御プログラムが含まれる。尚、当該プログラムで実現されるシステム動作ついては後に図４乃至図７のシーケンス図を用いて詳細に説明する。
【００４６】
表示部２０２は、液晶ディスプレイパネルで構成される表示ユニットであり、制御部２０１からの制御信号に応じて、入力された電話番号、通話時間等のテキストデータ、画像データの適宜の表示を行う。また、本実施例では、先述した親機と同様に、不在着信表示として『着信がありました』の文字と当該着信の日付及び時刻を示す文字が表示部２０２に表示される。尚、不在着信表示は、別途設けられる専用ランプの点・消灯により、不在着信の有無のみを簡易表示するように構成することもできる。また、この日付と時刻情報は、着信履歴情報としてメモリ部２０４に順次累積記憶され、所謂『着信履歴表示機能』においても使用され、この着信履歴もこの表示部２０２に適宜表示可能に構成されている。
【００４７】
操作部２０３は、数字や文字の入力などを行うテンキー、発呼および通話の開始などを操作する通話キー、通話の終了などを操作する終話キー、着信履歴表示実行キー、その他の各種モードを設定するための操作を行うモード設定キー等から構成される。
【００４８】
メモリ部２０４は、ＲＡＭによって構成され、不在着信に関する日付・時刻情報の他、先述した着信履歴表示機能用のデータ（不在着信のみならず全ての着信に関する日付・時刻情報）や電話帳データや、その他機能を実行するのに利用されるユーザ入力データが記憶されている。
電源部２０５は、充電式のバッテリーを内蔵し、子機２０の各回路構成要素に電源を供給する。充電部２０６は、子機２０が充電台（図示せず）に載置されている間、ＡＣアダプタ２０７から与えられる直流電圧により電源部２０５のバッテリーの充電を行う。
【００４９】
送信部２０８と受信部２０９は、送受信アンテナ２１１を介して親機１０との間に無線通信による通話リンクを確立させて、信号の送受信を行う。また、周波数シンセサイザー２１０は、当該親機１０との無線通信のための信号発振を担い、制御部２０１からの制御信号によって、送信部２０８と受信部２０９の送受信周波数を切り換える。
【００５０】
レシーバ２１２は、通話用のスピーカ（ＳＰ）２１２ａとマイク（ＭＩＣ）２１２ｂとで構成される。スピーカ（ＳＰ）２１２ａは、図示しない制御部２０１内の音声信号処理部で生成された電気信号を増幅して音声として出力する。マイク（ＭＩＣ）２１２ｂは、音声を電気信号に増幅変換して制御部２０１内の音声信号処理部に出力する。
【００５１】
上述した構成を前提として、本実施例のコードレス電話システムにおける外線着信時のシステム動作を、図４乃至図７のシーケンス図を参照しつつ以下詳細に説明すると共に、これにより、親機１０の制御部１０１を通じて実現される『着信表示制御手段』１００ａ、『着信判別手段』１００ｂ、『開始信号生成手段』１００ｃ、『終了信号生成手段』１００ｄ、『留守応答手段』１００ｅ及び、子機２０の制御部２０１を通じて実現される『着信表示制御手段』２００ａ、『要求信号生成手段』２００ｂの内容を明らかにする。
【００５２】
図４は、図１乃至図３に示す本実施例のコードレス電話システムにおいて、外線着信があった場合の不在着信表示にかかるシステム動作の一例を示すシーケンス図（その１）である。この例は、外線着信があったが、いずれの電話装置１０、２０ａ、２０ｂにおいても通話状態へ移行されることなく無応答で外線着信動作が終了したため、不在着信表示が開始される例を示したものである。尚、以下の説明では、図面との対応を容易とするため、図４中に示されている語句には適宜のカギ括弧（『…』）または符号を付するものとする。後に示す図５乃至７についても同様とする。
【００５３】
図４に示されるように、本実施例のコードレス電話システムにおいて、電話回線を通じて親機１０に『外線着信』（Ｓ１００）があると、当該着信が着信検出部１０２（図２参照）を通じて検出され、『外線着信状態』へ移行する（Ｓ１０１）と共に、各子機２０ａ、２０ｂに対して『外線着信信号』を送信する（Ｓ１０２ａ、Ｓ１０２ｂ）。
【００５４】
各子機２０ａ、２０ｂは、親機１０からの『外線着信信号』を受信する（Ｓ１０２ａ、Ｓ１０２ｂ）と、親機１０に対してそれぞれ『ＡＣＫ』を送信し（Ｓ２０１ａ、Ｓ２０１ｂ）、待ち受け状態から『外線着信状態』へと移行する（Ｓ２０２ａ、Ｓ２０２ｂ）。
【００５５】
次いで、親機１０は、電話回線を通じて送信されてくる着信鳴動のための所定信号（例えば１秒鳴動／２秒停止等の鳴動周期）に応じて自身のスピーカ（ＳＰ）１１３ａを『鳴動』させると共に（Ｓ１０３）、鳴動周期に応じた『ＲＩＮＧ』信号を各子機２０ａ、２０ｂに対して送信する（Ｓ１０４ａ、Ｓ１０４ｂ）。各子機２０ａ、２０ｂは、親機１０からの『ＲＩＮＧ』信号を受信する都度、当該信号に含まれる「鳴動ＯＮ／ＯＦＦ情報」に従ってスピーカ２１２ａを『鳴動』させる（Ｓ２０３ａ、Ｓ２０３ｂ）。
【００５６】
この外線着信に対して、いずれの電話装置１０、２０ａ、２０ｂにおいても通話状態へ移行されることなく無応答のままで、電話をかけた相手が電話を切る等して電話回線からの外線着信を終了すると（Ｓ１０５）、親機１０の着信検出部１０２で当該着信終了が検出され、自身のスピーカ（ＳＰ）１１３ａの鳴動を終了すると共に（Ｓ１０６）、各子機２０ａ、２０ｂに対して着信の終了を指示するための『ＥＮＤ』信号を送信する（Ｓ１０７ａ、Ｓ１０７ｂ）。各子機２０ａ、２０ｂは親機１０からの『ＥＮＤ』信号を受信すると、それぞれ『ＡＣＫ』信号を返信し（Ｓ２０４ａ、Ｓ２０４ｂ）、外線着信状態から『待ち受け状態』へと移行する（Ｓ２０５ａ、Ｓ２０５ｂ）。
【００５７】
ここで、親機１０が子機１０ａと子機１０ｂからの２つの『ＡＣＫ』を受信すると、『外線着信状態から『待ち受け状態』へと移行する（Ｓ１０８）。ここで、いずれの電話装置１０、２０ａ、２０ｂにおいても着信応答が行われることなく外線着信が終了したことにより、着信判別手段（１００ｂ）は上述の外線着信が不在着信であったと判定する（Ｓ１０９）。
【００５８】
このようにして不在着信と判別されると、親機１０及び各子機２０ａ、２０ｂにおいて不在着信表示を開始するための処理が実行される。具体的には以下の手順によって行われる。
【００５９】
まず、親機１０は、開始信号生成手段（制御部１００ｃ）を通じて、各子機２０ａ、２０ｂのそれぞれに対して、『不在着信表示開始信号』を送信する（Ｓ１１０ａ、Ｓ１１０ｂ）。各子機２０ａ、２０ｂはこの『不在着信表示開始信号』を受信すると（Ｓ１１０ａ、Ｓ１１０ｂ）、これに対して『ＡＣＫ』信号を返信するとともに（Ｓ２０６ａ、Ｓ２０６ｂ）、『不在着信表示開始信号』を受信したことにより、着信表示制御手段（制御部２００ａ）を通じて表示部２０２における不在着信表示が開始されることとなる（Ｓ２０７ａ、Ｓ２０７ｂ）。
【００６０】
一方、親機１０では、不在着信表示開始信号の受信に伴う各子機２０ａ、２０ｂからのそれぞれの『ＡＣＫ』信号が受信されたことを条件として（Ｓ２０６ａ、Ｓ２０６ｂ）、着信表示制御手段（制御部１００ａ）を通じて表示部１０４における不在着信表示を開始する（Ｓ１１１）。
【００６１】
上述のように、本実施例のコードレス電話システムにおいては、不在着信表示の開始タイミングが親機１０において管理されているため、不在着信表示は、電話システムを構成する全ての電話装置において、同時に開始されるようになっている。
【００６２】
図５は、図１乃至図３に示す本実施例のコードレス電話システムにおいて、外線着信があった場合の不在着信表示にかかるシステム動作の一例を示すシーケンス図（その２）である。この例は、外線着信があったが、いずれの電話装置１０、２０ａ、２０ｂにおいても無応答であったため親機１０の留守番電話機能が作動し、それにより不在着信表示が開始される例を示したものである。
【００６３】
この場合の親機および子機における初期動作、すなわち、『外線着信』（Ｓ１００）があってから、親機１０および各子機２０ａ、２０ｂで鳴動（Ｓ１０３、Ｓ２０３）が開始されるまでの動作内容（親機：Ｓ１００〜Ｓ１０４、子機：Ｓ２０１〜Ｓ２０３）は、図４に示したものと同様であるので、重複説明を省略する。
【００６４】
すなわち、外線着信があり、親機１０でなんら応答がないまま所定回数の鳴動が行われると、留守番電話機能が作動して、電話回線に対して直流ループ閉結がなされて自動着信応答が開始される（Ｓ５１０５）。同時に、親機１０の鳴動を終了する（Ｓ５１０６）。尚、留守番電話機能は、図２中に示される制御部１０１の留守応答手段１００ｅにより実現されるものであるが、このような機能それ自体は周知技術であるので、詳細説明は省略する。
【００６５】
次いで、親機１０は、各子機２０ａ、２０ｂに対して外線着信状態の終了を指示するための『ＥＮＤ』信号を送信する（Ｓ５１０７ａ、Ｓ５１０７ｂ）。各子機２０ａ、２０ｂは親機１０からの『ＥＮＤ』信号を受信すると、それぞれ『ＡＣＫ』信号を返信し（Ｓ５２０４ａ、Ｓ５２０４ｂ）、外線着信状態から『待ち受け状態』へと移行する（Ｓ５２０５ａ、Ｓ５２０５ｂ）。
【００６６】
親機１０において所定の自動着信応答動作（伝言録音、自動ＦＡＸ受信等）が終了されると（Ｓ５１０８）、親機１０は外線着信状態から『待ち受け状態』へと移行する（Ｓ５１０９）。ここで、いずれの電話装置１０、２０ａ、２０ｂにおいても通話着信応答されることなく親機１０での自動着信応答のみが行われて待ち受け状態に戻ったことにより、着信判別手段（制御部１００ｂ）は上述の外線着信が不在着信であったと判定する（Ｓ５１１０）。
【００６７】
このようにして不在着信と判別されると、親機１０及び各子機２０ａ、２０ｂにおいて不在着信表示を開始するための処理が実行される。当該処理の内容は、先に図４を参照しつつ説明したものと同様（親機：Ｓ１１０〜Ｓ１１１、子機：Ｓ２０６〜Ｓ２０７）であるので重複説明を省略する。尚、上述の留守応答動作中に、親機１０の受話器をオフフック等することで通話着信応答が開始されて当該応答動作が途中終了された場合には、外線着信状態終了後、着信判別手段は通話着信と判定するようにプログラムされているため、この場合には待ち受け状態となっても不在着信表示が開始されることはない。
【００６８】
上述のように、本実施例のコードレス電話システムにおいては、留守番電話機能による自動着信応答のみが行われた場合にも、不在着信表示が全ての電話装置において、ほぼ同時に開始されるようになっている。
【００６９】
図６は、図１乃至図３に示す本実施例のコードレス電話システムにおいて、外線着信があった場合の不在着信表示にかかるシステム動作の一例を示すシーケンス図（その３）である。この例は、外線着信があり、子機２０ａにおいて通話着信応答がなされたため、不在着信表示が開始されない例を示したものである。
【００７０】
この場合の親機および子機における初期動作、すなわち、『外線着信』（Ｓ１００）があってから、親機１０および各子機２０ａ、２０ｂで鳴動が開始されるまでの動作内容（親機：Ｓ１００〜Ｓ１０４、子機：Ｓ２０１〜Ｓ２０３）は、図４及び図５に示したものと同様であるので、重複説明を省略する。
【００７１】
すなわち、親機１０及び子機２０ａ、２０ｂがそれぞれ外線着信状態にあるとき（鳴動中）に、ユーザにより子機２０ａの操作部２０３の「通話キー」の押下が行われ、当該通話開始操作が子機２０ａで受け付けられると（Ｓ６２０４）、子機２０ａから親機１０へ『通話要求信号』が送信される（Ｓ６２０５）。親機１０は、これを受けて『ＡＣＫ』信号を返信し（Ｓ６１０５）、電話回線に対して直流ループ閉結する。これにより子機２０ａでの通話が開始され、『通話着信状態』へと移行する（Ｓ６２０６）。
【００７２】
このとき、親機１０は自身の鳴動を終了すると共に（Ｓ６１０６）、もう一方の子機２０ｂに外線着信状態の終了を指示するための『ＥＮＤ』信号を送信する（Ｓ６１０７）。子機２０ｂは親機１０からの『ＥＮＤ』信号を受信すると、『ＡＣＫ』信号を返信し（Ｓ６２０７）、外線着信状態から『待ち受け状態』へ移行する（Ｓ６２０８）。
【００７３】
そして、子機２０ａでの通話が開始された後、ユーザにより子機２０ａの操作部２０３の「終話キー」が押下されて当該通話終了操作が子機２０ａで受け付けられると（Ｓ６２０９）、子機２０ａは親機１０に対して通話終了を通知するための『ＥＮＤ』信号を送信し（Ｓ６２１０）、親機はこれに対して『ＡＣＫ』信号を返信する（Ｓ６１０８）。これにより、子機２０ａ、親機１０はそれぞれ待ち受け状態となる（Ｓ６２１１、Ｓ６１０９）。
【００７４】
次いで、親機１０において『着信判別』Ｓ６１１０が行われるのであるが、上述の着信ケースでは、親機１０は、子機２０ａからの通話要求信号を受信した後（Ｓ６２０５）、通話終了を通知するための『ＥＮＤ』信号を受信している（Ｓ６２１０）ことから、着信判別手段（制御部１００ｂ）は上述の外線着信が通話着信であったと判定する（Ｓ６１１０）。したがって、図４、図５で示したケースと異なり、親機１０から各子機２０ａ、２０ｂへの不在着信表示開始信号の送信は行われず、いずれの電話装置においても不在着信表示は開始されないこととなる。
【００７５】
尚、図６に示した上記の着信ケースでは、子機２０ａでの通話着信応答としたが、親機１０、子機２０ｂによる通話着信応答であっても、親機１０の着信判別手段は通話着信と判別するため、同様に不在着信表示開始信号の送受信は行われず、いずれの電話装置においても不在着信表示は開始されないこととなる。
【００７６】
上述のように、本実施例のコードレス電話システムにおいては、いずれかの電話装置において通話着信応答が行われると、全ての電話装置において不在着信表示が開始されないようになっている。
【００７７】
図７は、図１乃至図３に示す本実施例のコードレス電話システムにおいて、すでに開始されていた不在着信表示を終了する場合の不在着信表示にかかるシステム動作の一例を示すシーケンス図である。この例は、親機１０、子機２０ａ、２０ｂにおいて不在着信表示が既に開始されている状態において、子機２０ｂで不在着信表示の終了操作が行われたことにより、親機１０、子機２０ａ、２０ｂにおいて一斉に不在着信表示が終了される例を示したものである。
【００７８】
尚、本実施例では、『不在着信表示終了操作』を、親機１０又は子機２０ａ、２０ｂのいずれかの電話装置における『着信履歴表示操作』として取り扱っているが、当該『不在着信表示終了操作』は、実施態様に応じて適宜変更可能な設計事項であるから、例えば、専用の不在着信表示終了キー等を操作部に設け、これが押下されることにより不在着信表示終了操作とすることもできる。
【００７９】
具体例として図７に示すように、この例では、子機２０ｂにおいて、ユーザにより着信履歴表示（操作部２０３の着信履歴表示実行キーの押下）が行われると（Ｓ７２０１）、子機２０ｂの要求信号生成手段（制御部２００ｂ）を通じて、子機２０ｂから親機１０に対して『不在着信表示終了要求信号』が送信される（Ｓ７２０２）。
【００８０】
親機１０は、『不在着信表示終了要求信号』を受信すると（Ｓ７２０２）、これに対して『ＡＣＫ』信号を返信すると共に（Ｓ７１０１）、終了信号生成手段（制御部１００ｄ）を通じて、各子機２０ａ、２０ｂのそれぞれに『不在着信表示終了信号』を送信する（Ｓ７１０２ａ、Ｓ７１０２ｂ）。
【００８１】
各子機２０ａ、２０ｂは、『不在着信表示終了信号』を受信すると（Ｓ７１０２ａ、Ｓ７１０２ｂ）、これに対してそれぞれ『ＡＣＫ』信号を返信した後（Ｓ７２０２ａ、Ｓ７２０２ｂ）、着信表示制御手段（制御部２００ａ）を通じて表示部２０２における不在着信表示を終了させる（Ｓ７２０３ａ、Ｓ７２０３ｂ）。
【００８２】
一方、親機１０では、不在着信表示終了信号を送信の受信に伴う各子機２０ａ、２０ｂからの『ＡＣＫ』信号がいずれも受信されたことを条件として（Ｓ７２０２ａ、Ｓ７２０２ｂ）、着信表示制御手段（制御部１００ａ）を通じて表示部１０４における不在着信表示を終了する（Ｓ７１０３）。
【００８３】
尚、図７に示した例では、子機２０ｂでの着信履歴表示操作をトリガーとして不在着信表示の一斉終了処理を開始しているが、親機１０又は子機２０ａにおける着信履歴表示操作によっても、同様に不在着信表示が終了されることとなる。
【００８４】
上述のように、本実施例のコードレス電話システムにおいては、不在着信表示の終了タイミングについても、開始タイミングと同様に親機１０において管理されているため、不在着信表示は、電話システムを構成する全ての電話装置において、同時に終了されるようになっている。
【００８５】
尚、上記実施例では、親機１０が通話機能を有するものを採用しているが、親機１０としては、通話機能を有しないものを採用することも可能である。例えば、電話回線と接続されているが受話器がなく、子機との無線通信を介して、子機でのみ通話が可能なターミナルタイプのコードレス電話システムにも本発明が適用できる。更に、親機１０には、ＦＡＸ機能、インターネット機能等、現在一般的に普及されている各種の機能を有する電話装置を採用することができる。
【００８６】
また、上記実施例では、コードレス電話システムを構成するすべての電話装置（親機１０及び子機２０ａ、２０ｂ）が不在着信表示機能を有している場合を示したが、本発明の要旨は、コードレス電話システムにおける不在着信表示を開始するタイミングを電話回線に接続された親機で管理する点にあるから、子機１台のみが不在着信表示機能を有するコードレス電話システムにも適用することができる。すなわち、当該機能を有さない他の電話装置で通話着信が行われた場合には当該機能を有する子機においても不在着信表示が行われないことになるから、同様に、不適切な不在着信表示が排除され、これにより不在着信表示の信頼性向上が図られるといった効果を得ることができる。
【図面の簡単な説明】
【００８７】
【図１】本発明の実施例にかかるコードレス電話システムの全体構成を示す図である。
【図２】本発明の実施例にかかる親機の構成を示すブロック図である。
【図３】本発明の実施例にかかる子機の構成を示すブロック図である。
【図４】いずれの電話装置においても通話着信応答がなされなかった場合の不在着信表示にかかるシステム動作の一例を示すシーケンス図である。
【図５】親機において留守着信応答がなされた場合の不在着信表示にかかるシステム動作の一例を示すシーケンス図である。
【図６】子機において通話着信応答がなされた場合の不在着信表示にかかるシステム動作の一例を示すシーケンス図である。
【図７】不在着信表示を終了する場合の不在着信表示にかかるシステム動作の一例を示すシーケンス図である。
【符号の説明】
【００８８】
１・・・・・・コードレス電話システム
１０・・・・・親機
２０ａ，２０ｂ  無線子機
１００ａ・・・着信表示制御手段
１００ｂ・・・着信判別手段
１００ｃ・・・開始信号生成手段
１００ｄ・・・終了信号生成手段
１００ｅ・・・留守応答手段
１０１・・・・制御部
１０２・・・・着信検出部
１０３・・・・回線接続部
１０４・・・・表示部
１０５・・・・操作部
１０６・・・・メモリ部
１０７・・・・ＡＣアダプタ
１０８・・・・電源部
１０９・・・・送信部
１１０・・・・受信部
１１１・・・・周波数シンセサイザー
１１２・・・・無線通信アンテナ
１１３・・・・受話器
２００ａ・・・着信表示制御手段
２００ｂ・・・要求信号生成手段
２０１・・・・制御部
２０２・・・・表示部
２０３・・・・操作部
２０４・・・・メモリ部
２０５・・・・電源部
２０６・・・・充電部
２０７・・・・ＡＣアダプタ
２０８・・・・送信部
２０９・・・・受信部
２１０・・・・周波数シンセサイザー
２１１・・・・無線通信アンテナ
２１２・・・・レシーバ
【図１】
2010109558.tif 000003
【図２】
2010109558.tif 000004
【図３】
2010109558.tif 000005
【図４】
2010109558.tif 000006
【図５】
2010109558.tif 000007
【図６】
2010109558.tif 000008
【図７】
2010109558.tif 000009